(57)【要約】【課題】防湿性等の要求を満足し、かつ、引っ張るだけで極めて簡単に破ることのできるプレフィルドシリンジ用包装材を提供する。【解決手段】袋状に形成される積層フィルム１１に、基材層１１ａ，ヒートシール層１１ｃのほかに、防湿性を有する横方向易カットフィルム層１１ｂを設けることにより、プレフィルドシリンジ２の包装材に要求される防湿性を持たせながらも、単純に引っ張ることによって切り込み１３を起点として簡単に破ることを可能とする。【選択図】  図３
2005013469.tif 000002
【特許請求の範囲】
【請求項１】
シリンジ内に薬液が収容されてなるプレフィルドシリンジを包装するための包装材であって、
積層フィルムを２つ折りにしてその周囲３辺をヒートシールするか、もしくは積層フィルムを２枚重ね合わせてその周囲４辺をヒートシールすることにより、プレフィルドシリンジを収容した状態で密封された袋状に形成されるとともに、その積層フィルムは、袋の最内層に位置するヒートシール層と、基材層のほか、防湿性を有する横方向易カットフィルム層を少なくとも含み、上記ヒートシール部位には上記横方向易カットフィルム層の易カット方向に沿った切り込みが形成されていることを特徴とするプレフィルドシリンジ用包装材。
【請求項２】
上記横方向易カットフィルム層がヒートシール層に隣接して積層されていることを特徴とする請求項１に記載のプレフィルドシリンジ用包装材。
【請求項３】
上記横方向易カットフィルムが２軸延伸ポリプロピレンフィルムであることを特徴とする請求項または２に記載のプレフィルドシリンジ用包装材。
【請求項４】
上記積層フィルムを構成する各フィルムがいずれも透明フィルムであり、かつ、当該積層フィルム内にはベンゾフェノン系紫外線吸収剤が配合されていることを特徴とする請求項１、２または３に記載のプレフィルドシリンジ用包装材。
【発明の詳細な説明】
【０００１】
【発明の属する技術分野】
本発明は、あらかじめ薬液が収容されてなるプレフィルドシリンジ用の包装材に関する。
【０００２】
【従来の技術】
人体に薬液を注入するシリンジは、その殆どが使い捨て型のもの、つまりディスポーザブルシリンジとなっていいる。このようなディスポーザブルシリンジは、個々に包装材に収容された状態で流通ないしは保管され、包装材としては、フィルムを袋状に形成したものが多用されている。
【０００３】
この種の袋状の包装材に用いられるフィルムは、表基材層とヒートシール層とを積層した積層フィルムが多用されており、表基材層としてはポリエチレンテレフタレートフィルムなどが、ヒートシール層としてはポリエチレンフィルムなどが用いられている。
【０００４】
【発明が解決しようとする課題】
ところで、近年、ディスポーザブルシリンジのほかに、あらかじめ薬液が収容されてなるプレフィルドシリンジが多用されてきつつある。プレフィルドシリンジにおいても、個々に包装材に収容された状態で流通ないしは保管されるのであるが、その包装材には、上記したディスポーザブルシリンジの包装材に要求される機能に加えて、防湿性などが要求される。そのため、プレフィルドシリンジ用の包装材に用いられる積層フィルムは、前記した表基材層とヒートシール層のほかに、防湿機能を有するフィルムを更に積層する必要が生じる。
【０００５】
ここで、表基材層としてのポリエチレンテレフタレートフィルムと、ヒートシール層としてのポリエチレンフィルムとを積層した従来のディスポーザブルシリンジ用の袋状の包装材では、切り込みなどを入れておくことにより、袋を長手方向（シリンジの軸方向）に引っ張るだけで比較的簡単に破ることができるのであるが、上記したように防湿機能を有するフィルムを更に積層した積層フィルムからなる袋状の包装材では、切り込みなどを入れておいても袋を引っ張るだけでは破りにくくなる。そのため、医療現場での使い勝手が悪く、特に連続して多数の患者等に注射をする場合等においては、その作業性が大幅に悪化するという問題が生じている。
【０００６】
本発明はこのような実情に鑑みてなされたもので、プレフィルドシリンジの包装材に要求される防湿性等を満足し、しかも従来の表基材層としてのポリエチレンテレフタレートフィルムとヒートシール層としてのポリエチレンフィルムとを積層した包装材と同等の作業性のもとに破ることのできるプレフィルドシリンジ用包装材の提供を目的としている。
【０００７】
【課題を解決するための手段】
上記の目的を達成するため、本発明のプレフィルドシリンジ用包装材は、積層フィルムを２つ折りにしてその周囲３辺をヒートシールするか、もしくは積層フィルムを２枚重ね合わせてその周囲４辺をヒートシールすることにより、プレフィルドシリンジを収容した状態で密封された袋状に形成されるとともに、その積層フィルムは、袋の最内層に位置するヒートシール層と、基材層のほか、防湿性を有する横方向易カットフィルム層を少なくとも含み、上記ヒートシール部位には、上記横方向易カットフィルム層の易カット方向に沿った切り込みが形成されていることによって特徴づけられる（請求項１）。
【０００８】
ここで、本発明においては、上記横方向易カットフィルム層をヒートシール層に隣接して積層した構成（請求項２）を好適に採用することができる。
【０００９】
そして、横方向易カットフィルムの具体的材質としては、その良好な防湿性を有するが故に、２軸延伸ポリプロピレンフィルムを好適に採用することができる（請求項３）。
【００１０】
また、本発明においては、上記積層フィルムを構成する各フィルムをいずれも透明フィルムとするとともに、この積層フィルム内にベンゾフェノン系紫外線吸収剤を配合した構成（請求項４）を採用することもできる。
【００１１】
本発明は、包装材を形成する積層フィルムに、プレフィルドシリンジに要求される防湿性等を付与すべく、基材層およびヒートシール層に加えて防湿性を備えたフィルムを追加積層するに当たり、そのフィルムを横方向易カットフィルムとすることによって、所期の目的を達成しようとするものである。
【００１２】
すなわち、基材層とヒートシール層のほかに、防湿性を有する横方向易カットフィルムを積層した積層フィルムを２つ折りして３方向をヒートシールするか、あるいは２枚重ね合わせて４方向をヒートシールして袋状に形成するとともに、ヒートシール部分に横方向易カットフィルム層の易カット方向に沿った切り込みを形成することによって、防湿機能を持たせたうえで、袋を引っ張るだけで簡単に破ることができる。
【００１３】
また、横方向易カットフィルム層をヒートシール層に隣接して積層する構成の採用により、当該横方向易カットフィルム層の易カット性を最大限に利用して、袋の破りやすさを向上させることができる。
【００１４】
そして、本発明においては、横方向易カット性フィルムの材質は特に限定されるものではないが、請求項３に係る発明のように、防湿性と易カット性の双方に優れた２軸延伸ポリプロピレンフィルム（ＯＰＰフィルム）を用いることが望ましい。ただし、横方向易カット性フィルムの他の材質としては、高密度ポリエチレンフィルム（ＨＤＰＥ）なども採用することができる。
【００１５】
また、請求項４に係る発明のように、積層フィルムを構成する各フィルムを透明フィルムとするとともに、その積層フィルム内にベンゾフェノン系紫外線吸収剤を配合を配合することによって、紫外線を包装材でカットすることができ、内容物であるプレフィルドシリンジ内の薬液に影響を与えることを防止することができると同時に、アルミ箔や遮光のための印刷等を施す場合に比して、内部を視認できるという利点がある。
【００１６】
ここで、本発明においては、基材層およびヒートシール層に用いるフィルムの材質は特に限定されるものではないが、基材層としては、ポリエチレンテレフタレート（ＰＥＴ）フィルム、２軸延伸ポリプロピレン（ＯＰＰ）フィルム、延伸ポリアミド（ＯＮＹ）フィルムなどを、ヒートシール層としては、低密度ポリエチレン（ＬＤＰＥ）フィルム、直鎖状低密度ポリエチレン（ＬＬＤＰＥ）フィルム、無延伸ポリプロピレン（ＣＰＰ）フィルム、エチレンメタクリル酸（ＥＭＡＡ）フィルムなどを用いることができる。
【００１７】
【発明の実施の形態】
以下、図面を参照しつつ本発明の実施の形態について説明する。
図１は本発明の実施の形態の外観図であり、図２はその包装材１の模式図である。
【００１８】
この例は１枚の積層フィルム１１を２つ折りにして、互いに重ね合わされた周囲３辺をヒートシールすることにより、プレフィルドシリンジ２を収容した状態で密閉された袋状の包装材１を形成している。３辺のヒートシール部１２ａ〜１２ｃのうち、シリンジ２の長手方向に沿ったヒートシール部１２ｂに切り込み１３が形成されている。
【００１９】
積層フィルム１１は、その積層構造を図３に模式的断面図を示すように、ポリエチレンテレフタレートフィルムからなる表基材層１１ａと、２軸延伸ポリプロピレンフィルムからなる横方向易カットフィルム層１１ｂと、低密度ポリエチレンフィルムからなるヒートシール層１１ｃが順に積層され、それぞれが接着剤１１ｄによって互いに貼着一体化されている。また、表基材層１１ａには、横方向易カットフィルム層１１ｂ側に面した片面に適宜の印刷層１１ｅが形成されている。
【００２０】
印刷層１１ｅまたは接着剤１１ｄにベンゾフェノン系紫外線吸収剤が配合、もしくは表基材層１１ａまたは横方向易カットフィルム層１１ｂにベンゾフェノン系紫外線吸収剤がコーティングされており、波長２００〜４００ｎｍの領域の紫外線を９８％カットすることができる。
【００２１】
横方向易カットフィルム層１１ｂは、その易カット方向が長手方向に直交する方向、つまりヒートシール部１２ａ，１２ｃに沿った線で破断しやすくなるように配置されている。
【００２２】
以上の実施の形態において、包装材１を切り込み１２を挟んでその両側を持って離隔するように引っ張るだけで、図４に模式的に示すように、包装材１を簡単に破ることができる。しかも、横方向易カットフィルム層１１ｂに用いている２軸延伸ポリプロピレンフィルムは良好な防湿性を有しているため、プレフィルドシリンジ２の包装後の蒸気や熱水による滅菌処理等に十分に耐えることができる。また、ベンゾフェノン系紫外線吸収剤を配合したポリエチレンテレフタレートフィルムの存在により、透明な包装材でありながら紫外線をカットして、プレフィルドシリンジ２内の薬液の変質等を防止することができる。
【００２３】
なお、以上の実施の形態では、１枚の積層フィルム１１を２つ折りにして、その周囲３辺をヒートシールすることによって袋状に形成した例を示したが、図５に模式的に示すように、上記した例と同等の積層フィルム１１を２枚重ね合わせて、その周囲４辺にヒートシール部１２ｄ〜１２ｇを設けて袋状に形成してもよい。この場合においても、長手方向に沿ったヒートシール部１２ｅに切り込み１３を形成しておくことにより、上記と同様に包装材を容易に破ることができる。
【００２４】
また、積層フィルム１１の積層構造は、以上の実施の形態に限られることなく、各層のそれぞれに他の材質からなるフィルムを採用し得ることは前記した通りであり、また、基材層、横方向易カットフィルム層およびヒートシール層以外に、適宜の機能フィルムを積層することもできる。
【００２５】
更に、横方向易カットフィルム層の積層位置については、ヒートシールを施すための最内層以外であればどこであってもよい。
【００２６】
【発明の効果】
以上のように、本発明によれば、ヒートシール層と、基材層のほか、防湿性を有する横方向易カットフィルム層を含む積層フィルムを、プレフィルドシリンジを収容した袋状に形成しているので、この種のシリンジの包装材に要求される防湿性を持たせながらも、極めて容易に破って内部のシリンジを取り出すことができる。
【００２７】
また、積層フィルム内にベンゾフェノン系紫外線吸収剤を配合することにより、全体に透明性を付与しながら、内部のシリンジ内の薬液を紫外線から保護することができる。
【図面の簡単な説明】
【図１】本発明の実施の形態の外観図である。
【図２】本発明の実施の形態の包装材１の模式図である。
【図３】本発明の実施の形態の包装材１を構成する積層フィルム構造を示す模式的断面図である。
【図４】本発明の実施の形態の包装材１を破った状態を示す模式図である。
【図５】本発明の他の実施の形態の包装材の模式図である。
【符号の説明】
１  包装材
１１  積層フィルム
１１ａ  表基材層
１１ｂ  横方向易カットフィルム層
１１ｃ  ヒートシール層
１２ａ，１２ｂ，１２ｃ  ヒートシール部
１３  切り込み
２  プレフィルドシリンジ
【図１】
2005013469.tif 000003
【図２】
2005013469.tif 000004
【図３】
2005013469.tif 000005
【図４】
2005013469.tif 000006
【図５】
2005013469.tif 000007